(57)【要約】【課題】  利用者による券媒体の使用状況の誤認を防止することが可能な改札機及び改札方法を提供することを目的とする。【解決手段】  券媒体から券媒体固有の識別情報及び改札処理に必要な改札情報を読み取り、読み取られた改札情報に基づいて改札処理を行い、改札処理により利用者の通行を許可する旨の判定に基づき複数種類の表示パターンから読み取られた識別情報に対応した特定の表示パターンを選択し、選択された表示パターンで通行を許可する旨の案内画面を表示部４に表示する、ことを特徴とする。【選択図】      図２
2006293843.tif 000002
【特許請求の範囲】
【請求項１】
券媒体から券媒体固有の識別情報及び改札処理に必要な改札情報を読み取る読取手段と、
前記読取手段により読み取られた改札情報に基づいて改札処理を行う改札手段と、
前記改札手段による改札処理の結果に対応した案内画面を表示する表示手段と、
前記表示手段を制御して、前記読取手段により読み取られた識別情報に対応した特定の表示パターンで案内画面を表示させる制御手段と、
を備えたことを特徴とする改札機。
【請求項２】
券媒体から券媒体固有の識別情報及び改札処理に必要な改札情報を読み取る読取手段と、
前記読取手段により読み取られた改札情報に基づいて改札処理を行う改札手段と、
前記改札手段による改札処理の結果に対応した案内画面を表示する表示手段と、
利用者の通行を許可する旨の複数種類の表示パターンを記憶した記憶手段と、
前記改札手段による利用者の通行を許可する旨の判定に基づき、前記記憶手段に記憶された複数種類の表示パターンから、前記読取手段により読み取られた識別情報に対応した特定の表示パターンを選択する選択手段と、
前記表示手段を制御して、前記選択手段により選択された表示パターンで通行を許可する旨の案内画面を表示させる制御手段と、
を備えたことを特徴とする改札機。
【請求項３】
無線通信を行うためのアンテナ部を介して無線通信可能な券媒体との間で無線通信を行い、この無線通信において券媒体から券媒体固有の識別情報及び改札処理に必要な改札情報を読み取る通信手段と、
前記通信手段により読み取られた改札情報に基づいて改札処理を行う改札手段と、
前記改札手段による改札処理の結果に対応した案内画面を表示する表示手段と、
利用者の通行を許可する旨の複数種類の表示パターンを記憶した記憶手段と、
前記改札手段による利用者の通行を許可する旨の判定に基づき、前記記憶手段に記憶された複数種類の表示パターンから、前記読取手段により読み取られた識別情報に対応した特定の表示パターンを選択する選択手段と、
前記表示手段を制御して、前記選択手段により選択された表示パターンで通行を許可する旨の案内画面を表示させる制御手段と、
を備えたことを特徴とする改札機。
【請求項４】
前記案内画面は、第１絵柄パターン及び第２絵柄パターンを含むことを特徴とする請求項１乃至３のいずれか１項に記載の改札機。
【請求項５】
前記第１絵柄パターン及び第２絵柄パターンは、それぞれ複数の色で表示可能であり、前記第１絵柄パターン及び第２絵柄パターンのそれぞれの表示色の組み合わせによって複数種類の表示パターンを形成することを特徴とする請求項４に記載の改札機。
【請求項６】
券媒体から券媒体固有の識別情報及び改札処理に必要な改札情報を読み取る読取手段と、
前記読取手段により読み取られた改札情報に基づいて改札処理を行う改札手段と、
前記改札手段による改札処理の結果に対応した案内画面を表示する表示手段と、
前記改札手段による利用者の通行を許可する旨の判定に基づき、前記読取手段により読み取られた第１識別情報に対応して第１表示パターンで通行を許可する旨の案内画面を表示させるとともに、前記読取手段により読み取られた第２識別情報に対応して第１表示パターンとは異なる表示色の第２表示パターンで通行を許可する旨の案内画面を表示させる制御手段と、
を備えたことを特徴とする改札機。
【請求項７】
券媒体から券媒体固有の識別情報及び改札処理に必要な改札情報を読み取り、
読み取られた改札情報に基づいて改札処理を行い、
改札処理により利用者の通行を許可する旨の判定に基づき、複数種類の表示パターンから、読み取られた識別情報に対応した特定の表示パターンを選択し、
選択された表示パターンで通行を許可する旨の案内画面を表示する、
ことを特徴とする改札方法。
【請求項８】
券媒体から券媒体固有の識別情報及び改札処理に必要な改札情報を読み取り、
読み取られた改札情報に基づいて改札処理を行い、
第１識別情報を有する券媒体の改札処理により利用者の通行を許可する旨の判定に基づき、第１表示パターンで通行を許可する旨の案内画面を表示し、
第２識別情報を有する券媒体の改札処理により利用者の通行を許可する旨の判定に基づき、第１表示パターンとは異なる表示色の第２表示パターンで通行を許可する旨の案内画面を表示する、
ことを特徴とする改札方法。
【発明の詳細な説明】
【技術分野】
【０００１】
この発明は、改札機及び改札方法に係り、特に、改札処理の結果に対応した案内画面の表示方法に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券、プリペイドカード、定期券、乗車券などの磁気式の券媒体を取り込み、券媒体に磁気記録された改札情報に基づいて利用者の通行を許可するか否かの改札処理を行う。取り込んだ券媒体は、必要に応じて返却または回収される。
【０００３】
また、近年では、磁気式の券媒体のほかに無線式の券媒体を取り扱う改札機が導入されている。このような無線式対応の改札機は、券媒体との間で無線通信を行い、券媒体から読み取った改札情報に基づいて利用者の通行を許可するか否かの改札処理を行う（例えば、特許文献１参照。）。
【特許文献１】特開平１１−０４５３６０号公報
【発明の開示】
【発明が解決しようとする課題】
【０００４】
従来の改札機において、利用者に対して改札処理の結果に対応した案内画面を表示する表示部は、先行客が改札通路内に存在しない場合には、改札処理の結果を直ちに表示し、また、先行客が改札通路内に存在する場合には、先行客が改札通路を通過したことを検知した後に改札処理の結果を表示し、対応する利用者が改札通路を通過したことを検知すると消灯する。
【０００５】
このような改札機においては、利用者と表示部の表示タイミングとがずれてしまうことがある。例えば、表示部には、すでに改札通路を通過した利用者の改札処理の結果が表示されている場合、改札通路内に存在する利用者が自己の改札処理の結果を確認できないおそれがある。このような例では、先行客がプリペイドカードとして券媒体を使用し、後続の利用者がプリペイドカード及び定期券の機能を兼ね備えた券媒体を定期券として使用したとき、改札通路内に存在する利用者が先行客の改札処理の結果すなわち利用金額を引き去った結果を表示部で視認してしまう場合がある。このため、利用者が定期券として券媒体を利用しているにもかかわらずプリペイドカードとして利用してしまった（利用金額が引き去られた）と誤認するおそれがある。
【０００６】
この発明は、上述した問題点に鑑みなされたものであって、その目的は、利用者による券媒体の使用状況の誤認を防止することが可能な改札機及び改札方法を提供することにある。
【課題を解決するための手段】
【０００７】
この発明の第１の態様による改札機は、
券媒体から券媒体固有の識別情報及び改札処理に必要な改札情報を読み取る読取手段と、
前記読取手段により読み取られた改札情報に基づいて改札処理を行う改札手段と、
前記改札手段による改札処理の結果に対応した案内画面を表示する表示手段と、
前記表示手段を制御して、前記読取手段により読み取られた識別情報に対応した特定の表示パターンで案内画面を表示させる制御手段と、
を備えたことを特徴とする。
【０００８】
この発明の第２の態様による改札機は、
券媒体から券媒体固有の識別情報及び改札処理に必要な改札情報を読み取る読取手段と、
前記読取手段により読み取られた改札情報に基づいて改札処理を行う改札手段と、
前記改札手段による改札処理の結果に対応した案内画面を表示する表示手段と、
利用者の通行を許可する旨の複数種類の表示パターンを記憶した記憶手段と、
前記改札手段による利用者の通行を許可する旨の判定に基づき、前記記憶手段に記憶された複数種類の表示パターンから、前記読取手段により読み取られた識別情報に対応した特定の表示パターンを選択する選択手段と、
前記表示手段を制御して、前記選択手段により選択された表示パターンで通行を許可する旨の案内画面を表示させる制御手段と、
を備えたことを特徴とする。
【０００９】
この発明の第３の態様による改札方法は、
券媒体から券媒体固有の識別情報及び改札処理に必要な改札情報を読み取り、
読み取られた改札情報に基づいて改札処理を行い、
改札処理により利用者の通行を許可する旨の判定に基づき、複数種類の表示パターンから、読み取られた識別情報に対応した特定の表示パターンを選択し、
選択された表示パターンで通行を許可する旨の案内画面を表示する、
ことを特徴とする。
【発明の効果】
【００１０】
この発明によれば、利用者による券媒体の使用状況の誤認を防止することが可能な改札機及び改札方法を提供することができる。
【発明を実施するための最良の形態】
【００１１】
以下、この発明の一実施の形態に係る改札機及び改札方法について図面を参照して説明する。
【００１２】
図１に示すように、この実施の形態に係る改札システムは、監視装置として機能するホストコンピュータ１０を備えている。このホストコンピュータ１０は、駅に設置された複数の改札機１００−１、１００−２…と通信回線２０を介して接続されており、これらの改札機１００を監視する。
【００１３】
ホストコンピュータ１０は、装置全体を制御するとともに下位に接続された各種機器を制御するものであって、複数の改札機１００を統括して制御するＣＰＵ１１を有している。このＣＰＵ１１には、メモリ部１２、表示部１３、入力部１４、通信制御部１５などが接続されている。
【００１４】
メモリ部１２は、ホストコンピュータ１０自体及び改札機１００などの下位の機器を制御するための制御データなどの各種データを記憶している。表示部１３は、ホストコンピュータ１０自体の動作状態、下位の機器の動作状態などを表示する。入力部１４は、各改札機１００の動作モードなど種々の情報を入力するためのキーボードや、接触を検知したのに基づいて対応する情報を出力するタッチパネルなどを有している。通信制御部１５は、下位の機器との間で通信回線２０を介して種々の情報の送受信を行う。
【００１５】
次に、図１に示した改札システムに適用可能な改札機１００の構成について説明する。図２に示すような改札機は、通常、２台１組として設置され、両者の間に利用者が通行可能な改札通路が形成される。入場処理や出場処理どの改札処理を行う改札機で利用可能な券媒体としては、普通乗車券、定期券、特急券、回数券、入場券、プリペイドカードなどの磁気式及び無線式の券媒体を対象としている。
【００１６】
これら券媒体は、券媒体固有の識別情報、例えば複数の数字の組み合わせからなる複数桁の識別番号、及び、改札処理に必要な改札情報、例えば、利用可能な区間情報、有効期限情報、入場記録情報、出場記録情報、利用者情報などを有している。このような識別情報及び改札情報は、磁気式券媒体では、その券面の磁気記録層に所定形式で磁気記録されており、また、無線式券媒体では、そのメモリ部に所定形式で記憶されている。
【００１７】
すなわち、図２に示すように、改札機１００は、筐体１を備えている。筐体１は、投入口２、排出口３、表示部４、ドア機構５、フレーム６、人間検知センサ７、表示器８、無線通信処理ユニット１１０などを備えている。
【００１８】
投入口２は、筐体１における通行方向上流側に設けられ、施設内への入場時または施設内からの出場時に投入された券媒体を受け取り可能である。投入口２の近傍には、券媒体の投入を阻止するためのシャッタが設けられている。また、排出口３は、筐体１における通行方向下流側に設けられ、投入口２から受け取った券媒体を必要に応じて排出する。
【００１９】
表示部４は、利用者の通行方向に対して筐体１における排出口３の前方に配置され、利用者や係員などに対して種々の案内情報、例えば改札処理の結果に対応した案内画面を所定の表示パターンで表示する表示手段として機能する。この表示部４は、カラー画像を表示可能に構成されている。ドア機構５は、筐体１における改札通路側の側面の両端部に配置され、利用者の通行を制御するために開閉可能に構成されている。このドア機構５は、利用者の通行を可能とする場合に改札通路を開放し、また、利用者の通行を阻止する場合に改札通路を閉鎖する。
【００２０】
フレーム６は、筐体１の上部に設けられ、改札通路を規定するための仕切りとなる。複数の人間検知センサ７は、筐体１及びフレーム６の改札通路側における側面部に配置され、利用者の通行を検知するための出力信号を出力する。表示器８は、フレーム６に配置され、小児券、無効券、または異常券の投入や、機器の異常など装置の動作状態を報知する。
【００２１】
無線通信処理ユニット１１０は、筐体１における通行方向上流側に配置され、無線式券媒体との間で無線通信を行う。
【００２２】
図３に示すように、改札機は、装置全体の制御を司るＣＰＵ６０を備えている。このＣＰＵ６０は、券媒体が有する改札情報に基づいて改札処理を行う改札手段、表示部８に表示させる表示パターンを選択する選択手段、さらには、所定の表示パターンで表示部８に案内画面を表示させる制御手段として機能する。
【００２３】
このＣＰＵ６０には、メモリ部６１、表示制御回路６２、ドア制御回路６３、通過検知回路６４、表示器制御回路６５、音声出力制御回路６６などが接続されている。
【００２４】
メモリ部６１は、ＲＯＭ、ＲＡＭ、運賃メモリなどを含んでいる。ＲＯＭは、ＣＰＵ６０の制御プログラムなどを記憶している。ＲＡＭは、制御プログラムのバッファとして情報を記憶するとともに、券媒体から読み取った情報などの各種情報を記憶する。運賃メモリは、入場駅（から設置駅まで）に対応した運賃情報を記憶している。また、このメモリ部６１は、改札処理の結果に対応した案内画面の表示パターンを複数種類記憶した記憶手段として機能する。
【００２５】
表示制御回路６２は、操作案内や改札処理の結果に対応した画像を表示するように表示部４を制御する。ドア制御回路６３は、改札処理の結果に対応して改札通路を開閉するようにドア機構５の駆動を制御する。通過検知回路６４は、人間検知センサ７からの出力信号に基づいて利用者の通過（移動位置）を検知する。表示器制御回路６５は、改札機の動作状態などに応じたパターンで点灯するように表示器８を制御する。音声出力制御回路６６は、操作案内や改札処理の結果に対応した音声を出力するようにスピーカ８０を駆動する。
【００２６】
また、ＣＰＵ６０には、磁気式の券媒体を処理する磁気処理ユニット６７、無線式の券媒体を処理する無線通信処理ユニット１１０などが接続されている。
【００２７】
磁気処理ユニット６７は、シャッタ開閉機構３０、検知器３１、搬送機構３２、読取ヘッド３３、書込ヘッド３４、印刷機構３５、入鋏機構３６などを備えている。
【００２８】
シャッタ開閉機構３０は、投入口２に設けられたシャッタを駆動して、券媒体の投入口２への投入を許可または阻止する。検知器３１は、投入口２から排出口３までの間に規定される搬送経路上に設けられ、投入口２での券媒体の投入状態や、排出口３での券媒体の抜き取り、搬送経路上での券媒体の搬送状態などを検知する。搬送機構３２は、券媒体を搬送経路に沿って搬送する。読取ヘッド３３は、券媒体の磁気記録層に記録されている改札情報を読み取る読取手段として機能する。書込ヘッド３４は、券媒体の磁気記録層に対して必要に応じて所定の磁気情報を記録する。印刷機構３５は、券媒体に対して必要に応じて日付や改札場所名等の所定の情報を印刷する。入鋏機構３６は、券媒体に対して必要に応じて穿孔を形成する。
【００２９】
無線通信処理ユニット１１０は、通信部１１１、表示部１１２などを備えている。通信部１１１は、券媒体に記憶された改札情報を読み取る読取手段及び通信手段として機能する。この通信部１１１は、券媒体と無線通信を行うための動作磁界を発生するアンテナ部１１３、アンテナ部１１３を介して送信するデータの変調及びアンテナ部１１３を介して受信したデータの復調を行うデータ処理部１１４などを備えている。表示部１１２は、アンテナ部１１３の周囲に配置され、無線通信処理ユニット１１０の動作状態に対応した種々のパターンで表示可能である。
【００３０】
つまり、無線通信処理ユニット１１０は、アンテナ部１１３を介して券媒体と交信し、データ処理部１１４を制御することにより、券媒体に記憶された改札情報に対応したデータを読み取ったり（券媒体から送信されたデータを受信したり）、券媒体に対して所定情報に対応したデータを書き込んだり（券媒体に対してデータを送信したり）する。
【００３１】
ＣＰＵ６０は、利用者が所持する各種券媒体からこれらの磁気処理ユニット６７及び無線通信処理ユニット１１０を介して読み取った改札情報に基づいて改札処理を行い、利用者の改札通路の通行を許可できるか否かの判定を行う。
【００３２】
さらに、ＣＰＵ６０には、通信制御部６９などが接続されている。この通信制御部６９は、ＣＰＵ６０の制御に基づき、改札機１００より上位の機器、例えばホストコンピュータ１０との間で情報通信を行う。
【００３３】
図４に示すように、無線式の券媒体Ｃは、無線通信処理ユニット１１０の通信部１１１との間での無線通信を制御するＣＰＵ２０１、ＣＰＵ２０１に対して駆動電源を供給する電源２０２などを備えている。このＣＰＵ２０１には、ＲＯＭやＲＡＭなどで構成されたメモリ部２０３、アンテナ２０４を介して通信部１１１から送信されたデータを受信したり、通信部１１１に対してデータを送信したりする通信制御部２０５などが接続されている。
【００３４】
図５に示すように、通信部１１１は、アンテナ部１１３を介して、無線式の券媒体Ｃに対して一定時間の間隔でポーリングコマンド信号を発信している。利用者が券媒体Ｃをアンテナ部１１３にかざすと、無線通信によるデータのやり取りが開始される。つまり、このポーリングコマンド信号に対して、券媒体Ｃから返信信号が通信部１１１に向けて送信される（ポーリングレスポンス）。
【００３５】
そして、通信部１１１からアンテナ部１１３を介して券媒体Ｃに対して改札情報を含むデータの送信を要求する（リードコマンド）。券媒体Ｃの通信制御部２０５は、アンテナ２０４を介して通信部１１１からのデータ送信要求を受信したのに基づいて、ＣＰＵ２０１の制御に基づきメモリ部２０３に記憶していた改札情報を含むデータをアンテナ２０４を介して通信部１１１に向けて送信する（リードレスポンス）。
【００３６】
通信部１１１がアンテナ部１１３を介して無線式券媒体Ｃからデータを受信したのに基づき、改札機におけるＣＰＵ６０は、受信したデータ（無線通信装置による通信結果）に基づいて改札処理を行う（判定）。そして、通信部１１１は、アンテナ部１１３を介してＣＰＵ６０における改札処理の結果に相当する判定結果情報を含むデータを券媒体Ｃに送信する（判定結果送信、ライトコマンド）。
【００３７】
その後、券媒体Ｃの通信制御部２０５は、アンテナ２０４を介して通信部１１１から送信されたライトコマンドを受信したのに基づいて、ＣＰＵ２０１の制御に基づきメモリ部２０３に受信したデータを記憶する。そして、通信制御部２０５は、アンテナ２０４を介して通信部１１１に向けてデータが正常に書き込まれ一連の改札処理が完了したことを通知する（ライトレスポンス）。
【００３８】
その後、通信部１１１は、券媒体Ｃからライトレスポンスを受信したのに基づいて、券媒体Ｃに対して処理を終了するためのクローズコマンドを送信する。券媒体Ｃは、通信部１１１からのクローズコマンドを受信したのに基づいて、通信部１１１に対してクローズレスポンスを送信する。通信部１１１は、券媒体Ｃからクローズレスポンスを受信したのに基づいて、改札機におけるＣＰＵ６０に対して一連の処理が正常に終了した旨を通知する。
【００３９】
このようなデータのやり取りにより、券媒体Ｃと改札機１００における無線通信処理ユニット１１０との間で改札処理に必要な改札情報の無線通信が行われる。
【００４０】
ところで、上述した改札機１００における表示部４は、改札処理の結果に対応した案内画面を表示する。表示部４に表示される案内画面の表示パターンは、表示制御回路６２を伴ってＣＰＵ６０により設定される。このとき、ＣＰＵ６０は、券媒体から読み取った券媒体固有の識別情報に基づき、これに対応した特定の表示パターンで表示部４に案内画面を表示させる。例えば、ＣＰＵ６０は、同一内容の案内画面を複数の表示パターンで表示部４に表示させることが可能であり、識別情報に基づき、複数の表示パターンの中から所定の表示パターンを選択して、該当する特定の表示パターンで表示部４に案内画面を表示させる。
【００４１】
ここで、表示部４に表示させる案内画面とは、例えば図６Ａに示すように、券媒体を所持する利用者の通行を許可する旨の判定結果（判定ＯＫ）に対応した案内画面３００であったり、図６Ｂに示すように、券媒体をプリペイドカードとして利用した場合の利用結果３１０を含む判定ＯＫに対応した案内画面３００であったり、あるいは、利用者の通行を阻止する旨の判定結果（判定ＮＧ）に対応した案内画面であっても良い。
【００４２】
図６Ａ及び図６Ｂに示すように、例えば、判定ＯＫである旨の案内画面３００は、複数の絵柄パターンを含んで構成されている。ここに示した例では、案内画面３００は、背景に相当する第１絵柄パターン３０１、及び、判定ＯＫである旨に対応した第２絵柄パターン３０２を含んでいる。
【００４３】
これらの第１絵柄パターン３０１及び第２絵柄パターン３０２は、それぞれ複数の色で表示可能である。ＣＰＵ６０は、これらの第１絵柄パターン３０１及び第２絵柄パターン３０２のそれぞれの表示色の組み合わせを選択することによって複数種類の表示パターンを形成し、表示部４に表示させる。このとき、第１絵柄パターン３０１及び第２絵柄パターン３０２が同一の表示色となる組み合わせは削除される。
【００４４】
例えば、図７に示すように、第１絵柄パターン３０１は、表示色１乃至５の５種類で表示可能であり、第２絵柄パターン３０２は、表示色６乃至１０の５種類で表示可能であるものとする。表示色１乃至１０がすべて異なる色に設定することにより、表示パターンは２５種類となる。図中では、表示パターンのパターン番号が示されている。これらの複数種類の表示パターンは、改札機１００のメモリ部６１に記憶されている。あるいは、各絵柄パターンの表示色に関する情報が個別にメモリ部６１に記憶されている。
【００４５】
ＣＰＵ６０は、例えば、券媒体から読み取った改札情報に基づいて改札処理を行い、利用者の通行を許可する旨の判定結果に基づき、メモリ部６１に記憶された複数種類の表示パターンから、券媒体の識別情報に対応した特定の表示パターンを選択する。そして、ＣＰＵ６０は、表示制御回路６２を介して表示部４を制御して選択した表示パターンで通行を許可する旨の案内画面を表示させる。
【００４６】
ここで、表示パターンの選択方法の一例について説明する。
【００４７】
すなわち、図８に示すように、ＣＰＵ６０は、券媒体から読み取った券媒体固有の識別情報、ここでは、複数の数字の組み合わせからなる複数桁の識別番号に基づいて、識別番号の１の位の数字を求める（ＳＴ１１）。続いて、ＣＰＵ６０は、１の位の数字を５で割ったときの余りを算出する（ＳＴ１２）。
【００４８】
ＣＰＵ６０は、余りがゼロである場合、つまり、識別番号の１の位の数字が「０」または「５」の場合、第１絵柄パターンの表示色として表示色１を選択する（ＳＴ１３）。ＣＰＵ６０は、余りが１である場合、つまり、識別番号の１の位の数字が「１」または「６」の場合、第１絵柄パターンの表示色として表示色２を選択する（ＳＴ１４）。ＣＰＵ６０は、余りが２である場合、つまり、識別番号の１の位の数字が「２」または「７」の場合、第１絵柄パターンの表示色として表示色３を選択する（ＳＴ１５）。ＣＰＵ６０は、余りが３である場合、つまり、識別番号の１の位の数字が「３」または「８」の場合、第１絵柄パターンの表示色として表示色４を選択する（ＳＴ１６）。ＣＰＵ６０は、余りが４である場合、つまり、識別番号の１の位の数字が「４」または「９」の場合、第１絵柄パターンの表示色として表示色５を選択する（ＳＴ１７）。
【００４９】
続いて、ＣＰＵ６０は、券媒体から読み取った券媒体固有の識別番号に基づいて、識別番号の１０の位の数字を求める（ＳＴ１８）。続いて、ＣＰＵ６０は、１０の位の数字を５で割ったときの余りを算出する（ＳＴ１９）。
【００５０】
ＣＰＵ６０は、余りがゼロである場合、つまり、識別番号の１０の位の数字が「０」または「５」の場合、第２絵柄パターンの表示色として表示色６を選択する（ＳＴ２０）。ＣＰＵ６０は、余りが１である場合、つまり、識別番号の１０の位の数字が「１」または「６」の場合、第２絵柄パターンの表示色として表示色７を選択する（ＳＴ２１）。ＣＰＵ６０は、余りが２である場合、つまり、識別番号の１０の位の数字が「２」または「７」の場合、第２絵柄パターンの表示色として表示色８を選択する（ＳＴ２２）。ＣＰＵ６０は、余りが３である場合、つまり、識別番号の１０の位の数字が「３」または「８」の場合、第２絵柄パターンの表示色として表示色９を選択する（ＳＴ２３）。ＣＰＵ６０は、余りが４である場合、つまり、識別番号の１０の位の数字が「４」または「９」の場合、第２絵柄パターンの表示色として表示色１０を選択する（ＳＴ２４）。
【００５１】
このように、ステップＳＴ１３乃至ＳＴ１７で選択された第１絵柄パターンの表示色と、ステップＳＴ２０乃至２４で選択された第２絵柄パターンの表示色との組み合わせにより、表示部４に表示される案内画面の表示パターンが決定する。ＣＰＵ６０は、このような過程で決定した表示パターンで案内画面を表示するよう表示制御回路６２を介して表示部４を制御する。
【００５２】
上述したように、案内画面の表示パターンを複数種類用意し、券媒体が有する固定的な情報例えば識別番号などの識別情報に基づいて表示し分けることにより、利用者が改札機を利用するたびに同じ表示パターンの案内画面を繰り返し視認して記憶することで、他の利用者の判定結果の案内画面を自分に対するものであるとみなす確立を低減することができる。
【００５３】
例えば、先行する利用者に対しては所持する券媒体の識別情報（第１識別情報）に基づいて第１表示パターンで案内画面を表示し、後続の利用者に対しては所持する券媒体の識別情報（第２識別情報）に基づいて第２表示パターンで案内画面を表示することができる。これにより、利用者による券媒体の使用状況の誤認を防止することが可能となる。
【００５４】
また、各利用者に対して特定の表示パターンで案内画面を表示することにより、利用者が改札通路を通過しながらでも容易に案内画面の表示内容が自分に対するものであるか他の利用者に対するものであるかを判別することが可能となる。
【００５５】
さらに、券媒体の識別情報に基づいて表示パターンを選択するようにしたため、特定の表示パターンが選択される確立に偏りがなく、すべての表示パターンについて同等の確立で選択可能となる。
【００５６】
特に、定期券としての機能のほかにプリペイドカードとしての機能を兼ね備えた無線式の券媒体については、利用者が連続するような場合、使用状況の誤認を生じやすい。また、利用者の意図しない機能を使用してしまうといった誤使用も生じやすい。このため、このような無線式券媒体を用いた改札処理において、上述したような券媒体固有の識別情報に対応した表示パターンでの案内画面の表示により、利用者各自の券媒体の使用状況を確実に認識することができ、利用者に対するサービス性を向上することが可能となる。
【００５７】
また、このような無線式券媒体については、定期券として使用している場合であっても有効期限後の更新処理により同一の券媒体で引き続き定期券として使用可能であるし、また、プリペイドカードとして使用している場合であってもチャージ処理により同一の券媒体を引き続きプリペイドカードとして使用可能である。このように無線式券媒体を継続的に利用している限り、その間は無線式券媒体が有する識別情報に基づいて常に特定の表示パターンで案内画面が表示されることになる。このため、利用者は各自の表示パターンをより認識しやすくなり、他の利用者の判定結果を誤認識する確立をより低減できる。
【００５８】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５９】
上述した実施の形態では、２５種類の表示パターンを用意したが、さらに多くの表示パターンを用意すれば、さらに他の利用者の判定結果と同一の表示パターンとなる確立を低減することができる。また、上述した実施の形態では識別番号の下２桁（すなわち１０の位及び１の位）の数字に基づいて表示パターンを選択したが、表示パターンをさらに増やし、さらに多くの桁数の数字に基づいて表示パターンを選択することで、さらに他の利用者の判定結果と同一の表示パターンとなる確立を低減することができる。
【００６０】
また、表示パターンの選択方法は上述した実施の形態に限定されるものではない。例えば、券媒体の識別情報のうちの１の位の数字が「０」あるいは「１」の場合に表示色１を選択し、「２」あるいは「３」の場合に表示色２を選択し、「４」あるいは「５」の場合に表示色３を選択し、「６」あるいは「７」の場合に表示色４を選択し、「８」あるいは「９」の場合に表示色５を選択し、券媒体の識別情報のうちの１０の位の数字が「０」あるいは「１」の場合に表示色６を選択し、「２」あるいは「３」の場合に表示色７を選択し、「４」あるいは「５」の場合に表示色８を選択し、「６」あるいは「７」の場合に表示色９を選択し、「８」あるいは「９」の場合に表示色１０を選択し、これらの表示色の組み合わせによって表示パターンを選択するようにしても良い。つまり、券媒体の識別情報に基づいて他の利用者の判定結果の表示パターンとは異なる（あるいは異なる可能性のある）特定の表示パターンを選択する方法であれば、如何なる方法であっても良い。
【図面の簡単な説明】
【００６１】
【図１】図１は、この発明の一実施の形態に係る改札システムの構成を概略的に示す図である。
【図２】図２は、この発明の一実施の形態に係る改札機の外観を概略的に示す斜視図である。
【図３】図３は、図２に示した改札機の制御系の構成を概略的に示すブロック図である。
【図４】図４は、図２に示した改札機による改札処理対象としての無線式の券媒体の構成を概略的に示す図である。
【図５】図５は、無線式の券媒体と改札機との無線通信による信号のやりとりを説明するための図である。
【図６Ａ】図６Ａは、改札機の表示部に表示される案内画面の一例を示す図である。
【図６Ｂ】図６Ｂは、改札機の表示部に表示される案内画面の一例を示す図である。
【図７】図７は、案内画面の表示パターン例を示す図である。
【図８】図８は、図２に示した改札機に適用可能な表示パターンの選択方法を説明するためのフローチャートである。
【符号の説明】
【００６２】
１…改札機筐体、４…表示部、３３…読取ヘッド、６０…ＣＰＵ、６１…メモリ部、６７…磁気処理ユニット、１００…改札機、１１０…無線通信処理ユニット、３００…案内画面、３０１…第１絵柄パターン、３０２…第２絵柄パターン
【図１】
2006293843.tif 000003
【図２】
2006293843.tif 000004
【図３】
2006293843.tif 000005
【図４】
2006293843.tif 000006
【図５】
2006293843.tif 000007
【図６Ａ】
2006293843.tif 000008
【図６Ｂ】
2006293843.tif 000009
【図７】
2006293843.tif 000010
【図８】
2006293843.tif 000011